(57)【要約】【課題】  載置タイプ，ヒンジ開閉タイプのいずれかのタイプの配線カバーに対しても適用できることは勿論のこと、従来品に比べて構造を簡素化して部品点数を減らし、製造，組立ての手間を省くことができるようにした配線カバー用の枠構造を提供すること。【解決手段】  天板に形成した配線口の長辺の縁に取付けられる２本のエッジ部材３，４、及び、当該配線口における長手方向両端の短辺の縁に取付けられる部材１，２であって、前記エッジ部材３，４をその両端部で結合するための結合部1c，1d、2c，2dと、配線カバーFc，Rcを位置決めして支持するための支持部1i，1j、2i，2jと、前記配線口に固定するための固定部1e，1f、2e，2fとを一体的に形成して備えたエンド部材１，２とから成ること。【選択図】図１
2010125213.tif 000002
【特許請求の範囲】
【請求項１】
天板に形成した配線口の長辺の縁に取付けられる２本のエッジ部材、及び、当該配線口における長手方向両端の短辺の縁に取付けられる部材であって、前記エッジ部材をその両端部で結合するための結合部と、配線カバーを位置決めして支持するための支持部と、前記配線口に固定するための固定部とを一体的に形成して備えたエンド部材とから成ることを特徴とする配線カバーの枠構造。
【請求項２】
固定部は、枠構造を配線口側にネジ止めして固定するためのネジ穴とこのネジ穴を挟んだ立壁により形成し、該立壁を載置式の配線カバーの位置決めに利用すると共に、この立壁の上端をヒンジ開閉式の配線カバーの当該カバーを閉じたときの受け支持部に利用するようにした請求項１の配線カバーの枠構造。
【発明の詳細な説明】
【技術分野】
【０００１】
本発明はデスクやテーブルなどの天板に形成した配線用の開口部とその下面に配置した断面略Ｕ状などのダクトにより形成される配線ダクトにおいて、前記天板の開口部に取付けられる配線カバー（開口部の蓋ともいう）を支持するため枠構造に関する。
【背景技術】
【０００２】
天板の中央などに横長乃至長方形の開口部を設け、その開口部の下にダクトを設けて構成された配線ダクトは、特許文献１や２などによって公知である。
【０００３】
配線ダクトは、最近のいわゆるＯＡ化が著しく進展したオフィス事情に対応して大量の各種配線やそれらの接続機器や中継機器などが収容されるようになったため、長大化する傾向が顕著であるが、そのために新たな問題も派生している。
【０００４】
すなわち、配線ダクトの開口部が全面的に開口されたままであると内部の配線などが外から見えて見映えも良好でないのみならず、天板上で使用している筆記具などの事務用品がダクト内に転落するなどして業務逐行の障害になり易い点などである。一方、ゴム系の蓋体やゴム系の縁を持つ蓋体を開口部との間に小さ目の隙間（配線１本が挿通できる程度の隙間）を保って配置し、当該隙間から配線の取出し、導入をする方式が知られているが、蓋体が取外しできないと、上記の接続機器など大き目の機器（コンセントやルーターなど）の出入れができないという難点がある。
【０００５】
そこで、最近では、上記のような配線ダクトの開口部に着脱可能な載置式の蓋、すなわち配線カバーを配置したり、ヒンジなどの開閉支持部材を前記開口部に介在させた着脱可能な開閉式の配線カバーを備えたものが、上記特許文献も含み数多く提案されている。
【０００６】
しかし乍ら、従来の配線ダクト用の蓋、つまり配線カバーは、平板状蓋の載置方式と、ヒンジなどの開閉用支持部材を介在させたヒンジ開閉方式では、配線カバーの支持形態や取付構造が異なるため、天板やデスク，テーブルとしてのデザインなどが同一であっても、異なる設置方式の配線カバーをそれぞれに構造が異なる支持部材で支持している。このため、夫々に別構造の支持部材やその部品などを、予め用意しておかなければならないという問題がある。
【０００７】
このような点に鑑み、載置タイプにもヒンジ開閉タイプにも展開できる配線ダクト用のカバーすなわち配線カバーが、特許文献１や２によって提案されているが、天板の開口部側に設ける配線カバーを支持する部分の構造が複雑になりがちであり、従って、カバーの開閉操作や着脱操作も煩雑にならざるを得ないという難点がある。
【特許文献１】特開２００３−２３５６４９号公報
【特許文献２】特開２００４−２９６８５７号公報
【発明の開示】
【発明が解決しようとする課題】
【０００８】
本発明は上述したような配線ダクト用の天板開口部の蓋である配線カバーの問題点に鑑み、載置タイプ，ヒンジ開閉タイプのいずれかのタイプの配線カバーに対しても適用できることは勿論のこと、従来品に比べて構造を簡素化して部品点数を減らし、製造，組立ての手間を省くことができるようにした配線カバー用の枠構造を提供することを課題とする。
【課題を解決するための手段】
【０００９】
上記課題を解決することを目的としてなされた本発明配線カバーの枠構造の構成は、天板に形成した配線口の長辺の縁に取付けられる２本のエッジ部材、及び、当該配線口における長手方向両端の短辺の縁に取付けられる部材であって、前記エッジ部材をその両端部で結合するための結合部と、配線カバーを位置決めして支持するための支持部と、前記配線口に固定するための固定部とを一体的に形成して備えたエンド部材とから成ることを特徴とするものである。また、本発明においては、前記固定部を、枠構造を配線口側にネジ止めして固定するためのネジ穴とこのネジ穴を挟んだ立壁により形成し、該立壁を載置式の配線カバーの位置決めに利用すると共に、この立壁の上端をヒンジ開閉式の配線カバーの当該カバーを閉じたときの支持部に利用するようにした。
【発明の効果】
【００１０】
本発明では、天板に形成された配線用開口部（配線口）に装着される配線カバー（蓋）を取付けるための枠構造を、天板に形成した配線口の長辺の縁に取付けられる２本のエッジ部材、及び、当該配線口における長手方向両端の短辺の縁に取付けられる部材であって、前記エッジ部材をその両端部で結合するための結合部と、配線カバーを位置決めして支持するための受け支持部と、前記配線口に固定するための固定部とを一体的に形成して備えたエンド部材とから形成したので、至って簡素，簡潔な枠構造で、載置タイプの配線カバーもヒンジ開閉タイプの配線カバーも共通構成部分で支持することができる。従って、配線カバーの設置形式が異なっても、同じ枠構造を使用できるので実用性が高く、また、部品点数の削減にも寄与する。
【発明を実施するための最良の形態】
【００１１】
次に、本発明配線カバーの枠構造の実施の形態例について、図を参照して説明する。添付した図において、図１は本発明配線カバー枠構造の平面図、図２は図１の枠構造の正面図、図３は図２の枠構造の右側面図、図４は図２のＡ−Ａ矢視拡大断面図、図５は図１〜図４の枠構造に用いたエッジ部材の断面図、図６は図１〜図４の枠構造に用いた右側のエンド部材の拡大平面図、図７は図６の右側面図、図８は図６の中央部横断平面図、図９は図４のエンド部材の支持部に載置タイプの配線カバーを支持させた例の拡大正断面図、図10は図４のエンド部材の支持部にヒンジ開閉タイプの配線カバーを支持させた例の拡大正断面図である。
【００１２】
本発明枠構造は、図６に例示した左右のエンド部材１，２（天板に形成した配線用開口の長手方向（左右方向）の左，右エンドに位置付けられる）と、左右のエンド部材１，２の間に架設的に連結される、図５に断面形状を例示した２本のエッジ部３，４により形成される。
【００１３】
ここで、上記の左，右のエンド部材１，２は同一部材で足り、また、両エンド部材１，２に結合される２本のエッジ部材３，４も同一部材で足りるので、本発明枠構造を構成する部品は、１種類のエンド部材１（２）と１種類のエッジ部材３（４）の２種類しかない。
【００１４】
従って、以下の説明では、一方のエンド部材１とエッジ部材３の構成例について、図を参照して説明する。ただし、もう一方のエンド部材２とエッジ部材４について使用する符号は、共通部分，共通部材に関しては前部の数字のみが異なり後部のアルファベット符号は共通させて表示している。
【００１５】
図６〜図８に例示するエンド部材１は、平面から視て大略短冊状をなす平板状の本体1aと図６の左側縁の下面側に垂下させて設けた立壁1bと、図６の左側面の上，下部に突出させて設けた後述するエッジ材３，４の結合部1c，1dと、図６の左側面の中間部において立壁1bの下部から舌片状に突出させて設けたそれぞれネジ穴1g，1hと各ネジ穴1g，1hを挟むように立設した挟み壁1i，1jを有する固定部1e，1fとを具備して形成されている。なお、図６における本体1aの上，下縁から右側縁にかけては、図７，図８に示すように、その縁部が緩やかな斜面エッジ1kに形成されている。
また、1mは断面逆Ｌ字状をなす本体1aと立壁1bとの間に立設したリブ壁である。本体1aの裏面には、本体1aの内部側の形状に沿った壁状リブ1nが形成されている。
【００１６】
エンド部材１は以上の構成を備えているので、もう一方のエンド部材２も、エンド部材１の構成と同様に、立壁2b，結合部2c，2d、固定部1e，1f、ネジ穴2g，2f、挟み壁2i，2j、斜面エッジ2k、リブ壁2m、壁状リブ2nを具備している。これらのエンド部材１，２は、図示しないが天板に形成した長方形の配線用開口において、長さ方向左右両端の開口短辺側の縁に装着される。なお、開口部の短辺側の縁に装着されたエンド部材１，２は、当該部材１，２の縁部が図７，図８に示すように緩やかな斜面エッジ1k，2kに形成されているので、天板上面とエンド部材１，２の境界のギャップ（段部）が小さくて済み、スマートである。また、エンド部材１，２は、合成樹脂成形品であるが、これに限られるものではなく金属製などであってもよい。
【００１７】
一方、上記２つのエンド部材１，２の間に架設される２本のエッジ部材３，４について、図１〜図４、図５を参照して説明する。なお、エッジ部材４の符号は、エッジ部材３と共通部分に関して前部の数字のみが異なり、後部のアルファベッド符号をエッジ部材３と共通にしている。
【００１８】
エッジ部材３は、エンド部材１，２の幅方向（図１，図６では上下方向）の両端部に設けた結合部1c，1dに結合される形態を備えたものである。即ち、図５に拡大断面で示したエッジ部材３は、エンド部材１の結合部1cの下半側に外嵌される下半側の略Ｌ状をなす中空断面部3aと、前記結合部1cの上半側に外嵌される上半側の略逆Ｌ状をなす中空断面部3bと、両断面部3a，3bの中間に形成された断面略Ｃ状のネジ受け部3cとを備えた断面形状の押出成形材である。図５において、3dは、エッジ部材３の上面であり、エンド部材１，２における上面1a，2aと対応する形態を備えている。なお、上面3dの縁は、エンド部材１，２の斜面エッジ1k，2kに対応する緩やかな斜面エッジ3eに形成されている。また、符号4a，4b，4c，4d，4eは、それぞれエッジ部材４におけるエッジ部材３の各部に対応した部分を示すものである。
【００１９】
上記の２本のエッジ部材３，４は、図１に示すように、長方形の配線用開口の左右端縁に配置される左右のエンド部材１，２における結合部1c（2c）と1d（2d）に、その断面部3a，3b（4a，4b）において嵌合されると共に、各結合部1c，1d（2c，2d）の背後からエッジ部材３，４の各ネジ受け部3c，4cに、ビス５が夫々に螺入されて、左右のエンド部材１，２と上，下のエッジ部材３，４によって、図１に示す平面形状の枠構造に形成される。
【００２０】
以上により図１の平面形状、図２の正面形状、図３の右側面形状、及び、図４のＡ−Ａ矢視拡大断面図形状に形成された本発明における配線カバーの枠構造、つまり、配線ダクトに対応して天板に形成した開口部に装着される蓋状部材である配線カバーを装着するための枠構造の一例が形成される。
【００２１】
図１〜図８により説明した配線カバーの本発明枠構造は、図４の拡大図に示すように、その左右のエンド部材１（２）に設けた配線ダクトとの固定部1e，1f（2e，2f）におけるネジ穴1g，1h（2g，2h）とその挟み壁1i，1j（2i，2j）が、当該エンド部材１（２）の内縁から内側（天板開口部の内側）に突出して設けられている。この結果、図９に例示するように載置式の配線カバーFcに対しては、前記挟み壁1iと1j（2iと2j）が、これに対応して当該配線カバーFcの裏面に形成されている２つの突起Ｔに作用することにより、開口部の幅（図９の左右方向）方向での配線カバーFcの位置決め部材として作用する。図９の配線カバーFcは、枠構造に載置した状態で、その左右の外側壁とエッジ部材３，４の立壁状の内壁との間に、２つの配線挿通用の隙間Cgを形成するので、通常の配線は、この隙間Cgを通して配線ダクトと天板の上との間でなされる。また、大量の配線や大き目の接続機器の出入れやメンテナンスの際には、配線カバーFcを取外して行う。
【００２２】
一方、図10に例示するヒンジ開閉式の配線カバーRcに対しては、上記挟み壁1iと1j（2iと2j）の上端位置が、閉じた２枚の配線カバーRcを下から支えることにより、上下方向での位置決め部材として機能する。なお、図10において、配線カバーRcは左右で分割された２ピースタイプであり、２枚の配線カバーRcの対向した先端縁の間に、通線用の隙間Cgが形成される。各カバーRcの下面外側寄りには、半円弧状のヒンジ受けHrが形成され、このヒンジ受けHrが、配線ダクト（図示せず）側に設けられたヒンジ部材Bhを抱持して、２つの配線カバーRcがそれぞれ左右の外側へ向けて起立するように開けられる。勿論、ヒンジ受けHrとヒンジ部材Bhは、離脱自在であるから、このカバーRcも開口部に対しては着脱自在である。従って、大量の配線や接続機器などを出入れしたり、メンテナンスしたりする場合には、２枚の配線カバーRcを起立させたり、ヒンジ部材Bhから取外して開口部を全面開口することができる。
【産業上の利用可能性】
【００２３】
以上のように、本発明では配線カバーが装着される天板の開口部に、左右のエンド部材と２本のエッジ部材を結合して形成した枠状の構造体を取付け、この枠構造体に設けられた開口部への取付機能を有する固定部が配線カバーの位置決め機能や水平レベルでの位置決め機能を果すように形成したので、配線カバーの装着型式に拘らず、配線用の天板開口部に適用できるという、固有の効果がある。
また、配線カバーは、載置方式，ヒンジ開閉方式のいずれの形式のものであっても、本発明枠構造に対して、着脱自在であると共に、閉じた（載置した）状態において配線挿通用の隙間が形成されているので、配線処理や配線の取扱上、至って利便性が高い。
【図面の簡単な説明】
【００２４】
【図１】発明配線カバー枠構造の平面図。
【図２】図１の枠構造の正面図。
【図３】図２の枠構造の右側面図。
【図４】図２のＡ−Ａ矢視拡大断面図。
【図５】図１〜図４の枠構造に用いたエッジ部材の断面図。
【図６】図１〜図４の枠構造に用いた右側のエンド部材の拡大平面図。
【図７】図６の右側面図。
【図８】図６の中央部横断平面図。
【図９】図４のエンド部材の支持部に載置タイプの配線カバーを支持させた例の拡大正断面図。
【図１０】図４のエンド部材の支持部にヒンジ開閉タイプの配線カバーを支持させた例の拡大正断面図。
【符号の説明】
【００２５】
１，２    エンド部材
1a        エンド部材の本体
1b        立壁
1c，1d    結合部
1e，1f    固定部
1g，1h    ネジ穴
1i，1j    挟み壁
1k        斜面エッジ
1m        リブ壁
1n        壁状リブ
３，４    エッジ部材
3a        略Ｌ状中空断面図
3b        略逆Ｌ状中空断面部
3c        ネジ受け部
3d        エッジ部材の上面
５        ビス
【図１】
2010125213.tif 000003
【図２】
2010125213.tif 000004
【図３】
2010125213.tif 000005
【図４】
2010125213.tif 000006
【図５】
2010125213.tif 000007
【図６】
2010125213.tif 000008
【図７】
2010125213.tif 000009
【図８】
2010125213.tif 000010
【図９】
2010125213.tif 000011
【図１０】
2010125213.tif 000012